(57)【要約】【課題】本発明の目的は、紛失する恐れがない携帯型電子装置及び当該携帯型電子装置の保護装置を提供することである。【解決手段】本発明における保護装置は、互いに対して反対方向に面している第１の表面及び第２の表面を有している、本体を具備する携帯型電子装置のために使用される保護装置において、本体の互いに対して反対方向に面している２つの側面それぞれには、スライド溝が設けられており、保護装置が、板体と、互いに対して反対方向に面している板体の側部それぞれに配設されている２つの移動部とを備えており、移動部それぞれの端部には、突起が設けられており、２つの突起それぞれが、対応するスライド溝に収容された状態で保護装置をスライド溝に沿って移動可能なように構成されており、保護装置がスライドし且つ回転することによって、第１の表面又は第２の表面を覆う。【選択図】図１
2013229871.tif 000002
【特許請求の範囲】
【請求項１】
互いに対して反対方向に面している第１の表面及び第２の表面を有している、本体を具備する携帯型電子装置のために使用される保護装置において、
前記本体の互いに対して反対方向に面している２つの側面それぞれには、スライド溝が設けられており、
前記保護装置が、板体と、互いに対して反対方向に面している前記板体の側部それぞれに配設されている２つの移動部とを備えており、
前記移動部それぞれの端部には、突起が設けられており、
２つの前記突起それぞれが、対応する前記スライド溝に収容された状態で前記保護装置を前記スライド溝に沿って移動可能なように構成されており、
前記保護装置がスライドし且つ回転することによって、前記第１の表面又は前記第２の表面を覆うことを特徴とする保護装置。
【請求項２】
前記突起が、対応する前記スライド溝の側壁と接触することによって、前記移動部が前記スライド溝から滑り出すことが防止されることを特徴とする請求項１に記載の保護装置。
【請求項３】
前記保護装置が、固定部を備えており、
前記固定部が、前記板体における前記二つの移動部が配設されている一方の端部の反対側の他方の端部に設けられており、
前記本体が、第１の係合溝と第２の係合溝とを備えており、
前記第１の係合溝が、前記第１の表面に設けられており、
前記第２の係合溝が、前記第２の表面に設けられており、
前記固定部が前記第１の係合溝又は前記第２の係合溝に係合することによって、前記保護装置が前記本体に固定されることを特徴とする請求項１又は２に記載の保護装置。
【請求項４】
前記本体を使用しない場合には、前記保護装置を操作することによって、前記本体の第１の表面が前記保護装置によって覆われ、前記固定部が前記第１の係合溝と係合することを特徴とする請求項３に記載の保護装置。
【請求項５】
前記本体を使用しない場合には、前記移動部が、対応する前記スライド溝に沿って移動し、前記突起を支点として回転されることによって、前記本体の第２の表面に至るまで移動し、これにより、前記固定部が前記第２の係合溝と係合し、前記保護装置が前記本体の前記第２の表面に収容されることを特徴とする請求項４に記載の保護装置。
【請求項６】
互いに対して反対方向に面している第１の表面及び第２の表面を有している本体と、請求項１から５のいずれか一項に記載の保護装置とを備えていることを特徴とする携帯型電子装置。
【発明の詳細な説明】
【技術分野】
【０００１】
本発明は、携帯型電子装置及び当該携帯型電子装置の保護装置に関する。
【背景技術】
【０００２】
現在、携帯電話や携帯情報端末（ＰＤＡ）等のような携帯型電子装置には、大きな液晶画面が設けられている。この液晶画面は、振動に対して弱いので、使用中に落下した場合に損傷し易い。また、液晶画面の表面が他の物品と接触することに起因して擦過傷が生じると、携帯型電子装置の美観及び使用に対して悪影響を受ける。従って、これらを防止するために、携帯型電子装置の外側に、保護部品を設ける必要がある。例えば、携帯電話のためのカバーやタブレットパソコンのための保護ケース等である。しかし、この保護部品は、使用する際に携帯型電子装置から取り外さなければならないので、保護部品を紛失する恐れがある。
【発明の概要】
【発明が解決しようとする課題】
【０００３】
本発明の目的は、以上の問題点に鑑みて、紛失する恐れのない携帯型電子装置及び当該携帯型電子装置の保護装置を提供することである。
【課題を解決するための手段】
【０００４】
上記の課題を解決するために、本発明における保護装置は、互いに反対方向に面している第１の表面及び第２の表面を有している、本体を具備する携帯型電子装置のために使用され、本体の互いに対して反対方向に面している２つの側面それぞれには、スライド溝が設けられており、保護装置が、板体と２つの移動部を備えており、２つの移動部それぞれが、板体の互いに対して反対方向に面している側部に配設されており、移動部それぞれの端部には、突起が設けられており、２つの突起それぞれが、対応するスライド溝に収容され、保護装置がスライド溝に沿って移動するように構成されており、保護装置がスライド溝に沿ってスライドし且つ回転することによって、第１の表面又は第２の表面を覆う。
【０００５】
上記の課題を解決するために、本発明における携帯型電子装置は、本体を備えており、本体が、第１の表面と、第１の表面と対応する第２の表面とを備えており、互いに対して反対方向に向いている本体の側面それぞれには、スライド溝が設けられており、保護装置が、板体と２つの移動部とを備えており、２つの移動部それぞれが、板体の互いに対して反対方向に面している側部に配設されており、移動部それぞれの端部には、突起が設けられており、突起それぞれが、対応するスライド溝に収容され、保護装置がスライド溝に沿って移動し回転することによって、第１の表面及び第２の表面を覆う。
【発明の効果】
【０００６】
本発明の携帯型電子装置の保護装置は、本体に対して自在にスライド可能とされる。これにより、携帯型電子装置の本体を使用しない場合には、保護装置をスライドさせ本体を覆うことによって本体を保護し、本体が摩擦に起因して損傷することを防止することができる。また、本体を使用する場合には、再び保護装置をスライドさせ、保護装置を本体の底部に至るまで移動させる。これにより、携帯に便利であり、且つ保護装置の紛失を防止することができるので、保護装置の実用性及び利便性を高めることができる。
【図面の簡単な説明】
【０００７】
【図１】本発明における携帯型電子装置の本体と保護装置との分解図である。
【図２】図１に表わす携帯型電子装置の保護装置が本体の第１の表面を覆っている状態を表わす。
【図３】図１に表わす携帯型電子装置の保護装置が本体に沿って移動した状態を表わす。
【図４】図１に表わす携帯型電子装置の保護装置が本体の第２の表面を覆っている状態を表わす。
【発明を実施するための形態】
【０００８】
本発明に係る携帯型電子装置及びその保護装置について、添付図面に基づいて以下に詳述する。
【０００９】
図１に表わすように、本発明における携帯型電子装置１００は、本体１０と保護装置２０とを備えている。
【００１０】
本体１０は、例えば携帯電話や個人用携帯情報端末のような電子装置であり、例えばディスプレイモジュール、給電モジュール、ボタンモジュール等のような機能を備えている。本体１０は、第１の表面１０２と、第１の表面１０２の反対方向に面している第２の表面１０４と、第１の表面１０４及び第２の表面１０４それぞれに対して垂直に接続されている第１の側面１０６、第２の側面１０８、第３の側面１１０、及び第４の側面１１２と、を備えている。第１の側面１０６と第３の側面１１０とが互いに対して反対方向に面しており、第２の側面１０８と第４の側面１１２とが互いに対して反対方向に面して設けられている。また、第２の側面１０８と第４の側面１１２とが、第１の側面１０６に対して垂直に接続されている。第１の側面１０６及び第３の側面１１０それぞれには、スライド溝１１４が設けられており、第２の側面１０８に近接する第１の表面１０２の一端には、第１の係合溝１１６が設けられており、第４の側面１１２に近接する第２の表面１０４の一端には、第２の係合溝１１８が設けられている。
【００１１】
保護装置２０は、板体２１と、２つの移動部２３と、固定部２５とを備えている。板体２１は矩形状の薄板である。移動部２３それぞれが、矩形状を呈しており、板体２１の互いに対して反対方向に面している側部に設けられている。移動部２３それぞれの端部には、１つの突起２３１が設けられており、２つの突起２３１それぞれが、対応するスライド溝１１４に収容されるように構成されている。これにより、保護装置２０が本体１０から脱離することが防止される一方、保護装置２０をスライド溝１１４に沿って移動させることができる。固定部２５は、２つの移動部２３が配設された板体２１の一端側の反対側に位置する一端側に配設されている。本実施形態では、固定部２５は、タブ又はホックとされ、第１の係合溝１１６又は第２の係合溝１１８と係合することによって、保護装置２０を本体１０に固定させることができる。
【００１２】
図２に表わすように、保護装置２０を本体１０に組み付ける場合には、最初に保護装置２０の２つの移動部２３の突起２３１それぞれを対応するスライド溝１１４に挿し込み、突起２３１を対応するスライド溝１１４の側壁に接触させる。これにより、保護装置２０が本体１０に対してスライド可能に本体１０に配置されるので、移動部２３が、スライド溝１１４から滑り出ることを防止する。本体１０を使用しない場合には、保護装置２０を操作することによって、固定部２５を第１の係合溝１１６に対向させ、且つ、保護装置２０を押圧することによって、固定部２５と第１の係合溝１１６とを係合させる。これにより、保護装置２０が、本体１０に固定された状態で本体１０の第１の表面１０２を覆うので、第１の表面１０２に配設された画面が保護される。
【００１３】
図３及び図４に表わすように、本体１０を操作する際には、最初に固定部２５が位置する領域において保護装置２０を押圧した後に、当該押圧を解放することによって、固定部２５が第１の係合溝１１６から飛び出て、固定部２５と第１の係合溝１１６との係合が解除される。次に、保護装置２０を推進させることによって、保護装置２０をスライド溝１１４に沿ってスライドさせる。この時、保護装置２０は、本体１０の第２の側面１０８に隣接するスライド溝１４の端部に至るまで移動し、当該端部にて停止し、突起２３１を支点として予め設定された方向に沿って回転される。例えば、保護装置２０を順時計回りの方向に回転させ、保護装置２０を本体１０の第２の表面１０４に至るまで移動させる。この時、固定部２５が第２の係合溝１１８と対向しているので、保護装置２０を押圧することによって、固定部２５が第２の係合溝１１８と係合し、保護装置２０が本体１０の第２の表面１０４に対して固定される。
【００１４】
保護装置２０は、本体１０と異なる色であっても良く、保護装置２０の色を変更することによって、商品の美観性を高めることができる。
【００１５】
本発明における携帯型電子装置１００のための保護装置２０は、本体１０に対して、自在にスライドさせることができる。これにより、携帯型電子装置１００の本体１０を使用しない場合には、保護装置２０をスライドさせ本体１０を覆うことによって、本体１０を保護すると共に本体１０の摩擦に起因する損傷を防止することができる。また、本体１０を使用する場合には、再び保護装置２０をスライドさせることによって、保護装置２０を本体１０の底部に至るまで移動させる。これにより、携帯に便利であると共に、保護装置２０の紛失を防止することができるので、保護装置２０の実用性及び利便性が高められる。
【符号の説明】
【００１６】
１０  本体
２０  保護装置
２１  板体
２３  移動部
２５  固定部
１００  携帯型電子装置
１０２  第１の表面
１０４  第２の表面
１０６  第１の側面
１０８  第２の側面
１１０  第３の側面
１１２  第４の側面
１１４  スライド溝
１１６  第１の係合溝
１１８  第２の係合溝
２３１  突起
【図１】
2013229871.tif 000003
【図２】
2013229871.tif 000004
【図３】
2013229871.tif 000005
【図４】
2013229871.tif 000006